(57)【要約】【課題】負荷時タップ切換装置の異常の有無を電気駆動装置の電力を観測することで判定する際に、起動直後に過大なトルクが発生するような異常も検出できるようにする。【解決手段】異常検出システム１０は、モータ１１５の起動直後の起動電力を測定可能な入力レンジに設定された起動電力取得部２４と、モータ１１５の定常状態における定常電力を測定可能な入力レンジに設定された定常電力取得部２３と、正常起動時における起動電力波形及び定常電力波形が記録された基準波形データベース３４と、起動電力取得部２４により測定された起動電力波形と、基準波形データベース３４に記録された正常起動時における起動電力波形とを比較可能に出力し、また、定常電力取得部２３により測定された定常電力波形と、基準波形データベース３４に記録された正常起動時における定常電力波形とを比較可能に画面表示する監視端末５０とを備える。【選択図】図３
2010283226.tif 000002
【特許請求の範囲】
【請求項１】
負荷時タップ切換器と、昇圧又は降圧を指示する制御信号が入力されると前記制御信号に応じてモータが回転し、当該モータの回転を駆動軸を介して伝達することで前記負荷時タップ切換器を駆動する電気駆動装置と、を備えてなる負荷時タップ切換装置の異常検出システムであって、
前記モータの起動直後の入力電力を測定可能な第１の入力レンジに設定された起動電力取得手段と、
前記モータの起動後の定常状態における入力電力を測定可能な第２の入力レンジに設定された定常電力取得手段と、
前記負荷時タップ切換装置の正常作動時における起動直後の入力電力が記録された基準起動電力記録手段と、
前記負荷時タップ切換装置の正常作動時における起動後の定常状態における入力電力が記録された基準定常電力記録手段と、
起動電力取得手段により測定された起動直後の入力電力と、前記基準起動電力記録手段に記録された正常起動時における起動直後の入力電力とを比較可能に出力する第１の比較手段と、
定常電力取得手段により測定された起動後の定常状態における入力電力と、前記基準定常電力記録手段に記録された正常起動時における起動後の入力電力とを比較可能に出力する第２の比較手段とを備えることを特徴とする負荷時タップ切換装置の異常検出システム。
【請求項２】
請求項１記載の付加時タップ切換装置の異常検出システムであって、
前記第１の入力レンジは、その最大値が、第１の所定値よりも大きな値に設定され、
前記第２の入力レンジは、その最大値が、前記第１の所定値よりも小さく、かつ、前記第２の所定値以上の値に設定されていることを特徴とする負荷時タップ切換装置の異常検出システム。
【請求項３】
請求項１又は２記載の負荷時タップ切換装置の異常検出システムであって、
前記起動電力取得手段は、
前記モータへの入力電流を測定する第１のＣＴを含んで構成され、前記第１のＣＴにより測定された入力電流を第１のゲインで増幅する起動電流入力回路と、
前記モータに供給される電圧を測定する電圧測定手段と、
前記起動電流入力回路により測定された起動直後の入力電流と、前記電圧測定手段により測定された電圧とに基づき、前記起動直後の入力電力を算出する第１の電力算出手段と、により構成され、
前記定常電力取得手段は、
前記モータへの入力電流を測定する第２のＣＴを含んで構成され、前記第２のＣＴにより測定された入力電流を、前記第１のゲインよりも大きな第２のゲインで増幅する定常電流入力回路と、
前記電圧測定手段と、
前記定常電流入力回路により測定された定常状態における入力電流と、前記電圧測定手段により測定された電圧とに基づき、前記定常状態における入力電力を算出する第２の電力算出手段と、により構成されることを特徴とする負荷時タップ切換装置の異常検出システム。
【請求項４】
請求項３記載の負荷時タップ切換装置の異常検出システムであって、
前記起動電力取得手段の前記第１のＣＴと、前記定常電力取得手段の前記第２のＣＴとは共通のＣＴからなることを特徴とする負荷時タップ切換装置の異常検出システム。
【請求項５】
請求項１から４のうち何れか１項に記載の負荷時タップ切換装置の異常検出システムであって、
前記制御信号を監視する制御信号監視手段と、
前記制御信号監視手段が監視した制御信号に基づき、負荷時タップ切換装置におけるタップ位置及び動作状況を検出するタップ位置検出手段と、を備え、
前記基準起動電力記録手段及び前記基準定常電力記録手段には、夫々タップ位置及び動作状況に対応付けて、起動直後の入力電力及び定常状態における入力電力が記録されており、
前記第１の比較手段は、起動電力取得手段により測定された起動直後の入力電力と、前記タップ位置検出手段により検出されたタップ位置及び動作状況に対応する前記基準起動電力記録手段に記録された正常起動時における起動直後の入力電力とを比較可能に出力し、
前記第２の比較手段は、定常電力取得手段により測定された起動後の定常状態における入力電力と、前記タップ位置検出手段により検出されたタップ位置及び動作状況に対応する前記基準定常電力記録手段に記録された正常起動時における起動後の入力電力とを比較可能に出力することを特徴とする負荷時タップ切換装置の異常検出システム。
【発明の詳細な説明】
【技術分野】
【０００１】
本発明は、負荷時タップ切換装置の異常を検出するための装置に関する。
【背景技術】
【０００２】
従来より、切換開閉器とタップ選択器と転換器とからなる負荷時タップ切換器と、負荷時タップ切換器を駆動する電気駆動装置と、を備えてなる負荷時タップ切換装置が用いられている。かかる負荷時タップ切換装置の異常を検出する方法として、例えば、特許文献１には、モータの入力電力を利用する方法が開示されている。
【０００３】
特許文献１記載の方法では、負荷時タップ切換装置に異常が生じると軸トルクに変化が生じること、及び軸トルクと駆動軸を起動するモータの入力電力との間に線形関係があることを利用しており、入力電力を測定し、この入力電力を正常駆動時の入力電力と比較して異常の有無を検出している。
【０００４】
ところで、電気駆動装置の起動時には、電気駆動装置のモータには起動時に大きな軸トルクが作用し、これに伴い消費電力が大きくなり、その後、軸トルクの大きさが定常的になるため、消費電力も略一定の大きさとなる。
【先行技術文献】
【特許文献】
【０００５】
【特許文献１】特開平９―８２５３７号公報
【発明の概要】
【発明が解決しようとする課題】
【０００６】
ここで、例えば、樋口  安幸、“状態監視保全による負荷時タップ切換装置点検方法の改善”、電気現場技術、株式会社電気情報社、２００２年７月、２００２年７月号、ｐ２９−３４に記載されているように、電気駆動装置の起動直後に過大なトルクが作用する異常が発生することがある。
【０００７】
これに対して、上記の従来の方法では、定常状態における電力波形を測定することにより、異常の有無を検出しているため、電力を測定する手段として、定常時におけるピーク値の差を識別可能な測定レンジの測定装置を用いなければならない。しかしながら、このような測定レンジの測定装置を用いた場合には、起動直後に過大な軸トルクが作用するような異常が発生した場合には、測定される電力が測定レンジ外となってしまい、この異常を検出することができないという問題がある。
【０００８】
本発明は、上記の問題に鑑みなされたものであり、その目的は、負荷時タップ切換装置の異常の有無を電気駆動装置の電力を観測することで判定する際に、起動直後に過大なトルクが発生するような異常も検出できるようにすることである。
【課題を解決するための手段】
【０００９】
本発明の負荷時タップ切換装置の異常検出システムは、負荷時タップ切換器と、昇圧又は降圧を指示する制御信号が入力されると前記制御信号に応じてモータが回転し、当該モータの回転を駆動軸を介して伝達することで前記負荷時タップ切換器を駆動する電気駆動装置と、を備えてなる負荷時タップ切換装置の異常検出システムであって、前記モータの起動直後の入力電力を測定可能な第１の入力レンジに設定された起動電力取得手段と、  前記モータの起動後の定常状態における入力電力を測定可能な第２の入力レンジに設定された定常電力取得手段と、前記負荷時タップ切換装置の正常作動時における起動直後の入力電力が記録された基準起動電力記録手段と、前記負荷時タップ切換装置の正常作動時における起動後の定常状態における入力電力が記録された基準定常電力記録手段と、起動電力取得手段により測定された起動直後の入力電力と、前記基準起動電力記録手段に記録された正常起動時における起動直後の入力電力とを比較可能に出力する第１の比較手段と、定常電力取得手段により測定された起動後の定常状態における入力電力と、前記基準定常電力記録手段に記録された正常起動時における起動後の入力電力とを比較可能に出力する第２の比較手段とを備えることを特徴とする。
【００１０】
上記の異常検出システムにおいて、前記第１の入力レンジは、その最大値が、第１の所定値よりも大きな値に設定され、前記第２の入力レンジは、その最大値が、前記第１の所定値よりも小さく、かつ、前記第２の所定値以上の値に設定されていてもよい。
【００１１】
また、前記起動電力取得手段は、前記モータへの入力電流を測定する第１のＣＴを含んで構成され、前記第１のＣＴにより測定された入力電流を第１のゲインで増幅する起動電流入力回路と、前記モータに供給される電圧を測定する電圧測定手段と、前記起動電流入力回路により測定された起動直後の入力電流と、前記電圧測定手段により測定された電圧とに基づき、前記起動直後の入力電力を算出する第１の電力算出手段と、により構成され、前記定常電力取得手段は、前記モータへの入力電流を測定する第２のＣＴを含んで構成され、前記第２のＣＴにより測定された入力電流を、前記第１のゲインよりも大きな第２のゲインで増幅する定常電流入力回路と、前記電圧測定手段と、前記定常電流入力回路により測定された定常状態における入力電流と、前記電圧測定手段により測定された電圧とに基づき、前記定常状態における入力電力を算出する第２の電力算出手段と、により構成されてもよい。
さらに、前記起動電力取得手段の前記第１のＣＴと、前記定常電力取得手段の前記第２のＣＴとは共通のＣＴからなるものであってもよい。
【００１２】
また、前記制御信号を監視する制御信号監視手段と、前記制御信号監視手段が監視した制御信号に基づき、負荷時タップ切換装置におけるタップ位置及び動作状況を検出するタップ位置検出手段と、を備え、前記基準起動電力記録手段及び前記基準定常電力記録手段には、夫々タップ位置及び動作状況に対応付けて、起動直後の入力電力及び定常状態における入力電力が記録されており、前記第１の比較手段は、起動電力取得手段により測定された起動直後の入力電力と、前記タップ位置検出手段により検出されたタップ位置及び動作状況に対応する前記基準起動電力記録手段に記録された正常起動時における起動直後の入力電力とを比較可能に出力し、前記第２の比較手段は、定常電力取得手段により測定された起動後の定常状態における入力電力と、前記タップ位置検出手段により検出されたタップ位置及び動作状況に対応する前記基準定常電力記録手段に記録された正常起動時における起動後の入力電力とを比較可能に出力してもよい。
【発明の効果】
【００１３】
本発明によれば、モータの起動後の定常状態における入力電力を測定可能な入力レンジに設定された定常電力取得手段とは別個に、モータの起動直後の入力電力を測定可能な入力レンジに設定された起動電力取得手段を設けることにより、起動直後に過大なトルクが発生するような異常も検出できる。
【図面の簡単な説明】
【００１４】
【図１】負荷時タップ切換装置の構成を示す図である。
【図２】（Ａ）は、電気駆動装置のタップ切換時におけるモータに入力される電力の一例を示すグラフであり、（Ｂ）は、縦軸のレンジを（Ａ）に比べて小さくした場合のグラフである。
【図３】本実施形態の異常検出システムの構成を示す図である。
【図４】定常電流入力回路及び起動電流入力回路の構成を示す回路図である。
【図５】異常検出システムにより負荷時タップ切換装置の異常を検出する方法を説明するためのフローチャートである。
【図６】一台のＣＴにより定常状態の電流と、起動時の電流を測定する場合の回路図である。
【発明を実施するための形態】
【００１５】
以下、本実施形態の負荷時タップ切換装置の異常検出装置の一実施形態を図面を参照しながら詳細に説明する。
図１は、負荷時タップ切換装置１００の構成を示す図である。同図に示すように、負荷時タップ切換装置１００は、切換開閉器１１１と、タップ選択器１１２と、転換器１１３とからなる負荷時タップ切換器１１０と、負荷時タップ切換器１１０を駆動する電気駆動装置１１４と、電気駆動装置１１４を制御する制御装置１１７とを備えてなる。
【００１６】
制御装置１１７は、変圧器の電圧自動制御装置や制御室に設置された電圧制御端末などであり、電気駆動装置１１４へ信号線１２０を介してタップ位置の上昇又は下降（すなわち、昇圧又は降圧）を指示する制御信号を送信する。
電気駆動装置１１４は、制御装置１１７から制御信号を受信すると、その信号に応じて、現在のタップ位置から昇圧側又は降圧側のタップ位置へ切り換えられるように、モータ１１５を駆動して駆動軸１１６を回転させる。
【００１７】
駆動軸１１６の回転は負荷時タップ切換器１１０へ伝達される。負荷時タップ切換器１１０は、駆動軸１１６の回転により、切換開閉器１１１、タップ選択器１１２、及び転換器１１３が適宜駆動させられ、タップ位置が切り換えられる。
【００１８】
図２（Ａ）は、電気駆動装置１１４のタップ切換時におけるモータ１１５に入力される電力の時間変化の一例を示すグラフであり、（Ｂ）は、（Ａ）を拡大して示したグラフである。従来技術の欄に記載したように、電気駆動装置１１４におけるタップ切換時のモータ１１５における電力負荷は、図２に示すように、起動時において非常に高いピークが出て、その後定常状態となる。本実施形態では、これら起動時における電力波形及び定常状態における電力波形に基づき、負荷時タップ切換装置１００の異常を検出するべく、異常検出システムを以下に説明する構成とした。
【００１９】
図３は、本実施形態の異常検出システム１０の構成を示す図である。同図に示すように、本実施形態の異常検出システム１０は、ネットワーク４０を介して送受信可能に接続された測定装置２０と、監視端末５０とにより構成される。
【００２０】
測定装置２０は、アナログインターフェース２１と、デジタルインターフェース２５と、電圧取得部２２と、低レンジ電流取得部２３と、高レンジ電流取得部２４と、信号検出部２６と、電力算出部３０と、電力波計記録・取得部３１と、電力波形データベース３２と、基準波形取得部３３と、基準波形データベース３４と、タップ位置検出部３５と、送受信部３６と、メモリ３７とを備える。
【００２１】
測定装置２０のデジタルインターフェース２５には、制御装置１１７から電気駆動装置１１４へ制御信号が送信される導線１２０から分岐した分岐線１１９が接続されている。
【００２２】
信号検出部２６は、デジタルインターフェース２５を介して、制御装置１１７から電気駆動装置１１４へ送信される制御信号を検出する。
【００２３】
タップ位置検出部３５は、予め、負荷時タップ切換装置１００のタップ位置が記録されており、信号検出部２６が制御信号を検出することにより、負荷時タップ切換装置１００の切換動作（昇圧か降圧か）を監視するとともに、動作後のタップ位置を求める。
【００２４】
測定装置２０のアナログインターフェース２１には、負荷時タップ切換装置１００の電気駆動装置のモータ１１５に電力を供給する電源線１１８を流れる電流を測定する定常電流入力回路６０と、起動電流入力回路６１と、電源線１１８から分岐した分岐線１２１が接続されている。
【００２５】
図４は、定常電流入力回路６０及び起動電流入力回路６１の構成を示す回路図である。定常電流入力回路６０及び起動電流入力回路６１は、夫々、ＣＴ７０、７１に複数の抵抗及びアンプが接続されて構成されており、これら複数の抵抗の抵抗値を調整することで、ＣＴ７０、７１を流れる貫通電流と出力電圧との関係を調整し、ＣＴ７０、７１による電流の最大測定レンジを調整することができる。本実施形態では、定常電流入力回路６０は、最大測定レンジが電気駆動装置１１４のモータ１１５を起動させる際の電流を観測可能なレンジ（すなわち、最大値が正常状態の起動時のピーク値よりも大きなレンジ、以下、起動レンジという）に設定されており、起動電流入力回路６１は、最大測定レンジが定常状態における電流を観測可能なレンジ（すなわち、最大値が起動レンジの最大値よりも小さく、かつ、正常状態の定常時の最大値よりも大きなレンジ、以下、定常レンジという）に設定されている。なお、起動レンジは定常レンジの約１０分の１のレンジ（すなわち、約１０倍のゲイン）に設定されている。
【００２６】
電圧取得部２２は、アナログインターフェース２１を介して、モータ１１５に供給される電圧を測定し、測定した電圧信号を出力する。
低レンジ電流取得部２３は、アナログインターフェース２１を介して、定常電流入力回路６０により、モータ１１５に供給される電流を測定し、測定した電流値を出力する。以下、低レンジ電流取得部２３から出力された電流値を低レンジ電流という。
高レンジ電流取得部２４は、アナログインターフェース２１を介して、起動電流入力回路６１により、モータ１１５に供給される電流を測定し、測定した電流値を出力する。以下、高レンジ電流取得部２４から出力された電流値を高レンジ電流という。
【００２７】
電力算出部３０は、電圧取得部２２及び低レンジ電流取得部２３から出力された電圧及び低レンジ電流に基づき電力を求め、この電力の時系列データを定常電力波形として出力する。また、これと同様に、電力算出部３０は、電圧取得部２２及び高レンジ電流取得部２４から出力された電圧及び電流に基づき電力を求め、この電力の時系列データを起動電力波形として出力する。
【００２８】
電力波形記録・取得部３１は、電力算出部３０が算出した起動電力波形及び定常電力波形をタップ位置検出部３５が求めたタップ位置及び動作状況（昇圧か降圧か）に関するタップ動作情報と対応付けて電力波形データベース３２に記録する。また、電力波形記録・取得部３１は、要求に応じて電力波形データベース３２に記録された起動電力波形及び定常電力波形とタップ動作情報とを取得する。
【００２９】
基準波形データベース３４には、タップ動作情報に対応付けられて、電気駆動装置１１４が正常に動作した場合の起動電力波形及び定常電力波形が記録されている。
基準波形取得部３３は、基準波形データベース３４を参照して、要求に応じて各タップ動作情報に対応する正常起動時の起動電力波形及び定常電力波形を取得する。
【００３０】
なお、これら構成部は、例えば、マイクロコントローラがメモリに記録されたプログラムを実行することで実現され、データベース３２、３４はハードディスクなどの記憶媒体上に構築される。
【００３１】
以下、異常検出システム１０により負荷時タップ切換装置１００の異常を検出する方法を図５に示すフローチャートを参照しながら説明する。なお、図５において、監視端末５０による処理は破線により示している。
まず、測定装置２０は、常時、電圧取得部２２により、電気駆動装置１１４のモータ１１５における電圧を監視するとともに、低レンジ電流取得部２３及び高レンジ電流取得部２４により、モータ１１５に供給される電流を監視する。また、測定装置２０は、常時、信号検出部２６により、制御装置１１７から信号線１２０を通じて電気駆動装置１１４へ入力される制御信号の有無を監視している。
【００３２】
制御装置１１７から電気駆動装置１１４へ制御信号が送信されると、測定装置２０は、信号検出部２６によりこの制御信号を検出する（Ｓ１００）。信号検出部２６は制御信号を検出すると、降圧又は昇圧する旨の信号をタップ位置検出部３５へと送信する。
【００３３】
タップ位置検出部３５は、信号検出部２６から受信した信号に基づき、動作状況（昇圧か降圧か）を取得し、さらに、切換後のタップ位置を特定する（Ｓ１０２）。
【００３４】
次に、電気駆動装置１１４は制御信号を受信すると、受信した制御信号に応じたスイッチ１１８Ａを閉じて、モータ１１５を駆動する。スイッチ１１８Ａが閉じられると導線１１８を電流が流れ、測定装置２０は低レンジ電流取得部２３及び高レンジ電流取得部２４により低レンジ電流及び高レンジ電流を測定し、電圧取得部２２によりモータにおける電圧を測定する（Ｓ１０４）。これら測定された低レンジ電流、高レンジ電流及び電圧は測定した時間対応付けられてメモリ３７に一次的に記録される。
【００３５】
次に、電力算出部３０により、メモリ３７に記録された低レンジ電流と電圧とに基づいて、定常電力波形を算出し、また、高レンジ電流と電圧とに基づいて起動電力波形を算出する（Ｓ１０６）。
【００３６】
次に、電力波形記録・取得部３１により、電力算出部３０により算出された起動電力波形及び定常電力波形を、タップ位置検出部３５により検出されたタップの動作状況と対応付けて電力波形データベース３２に記録する（Ｓ１０８）。
【００３７】
測定装置２０は、後述するように監視端末５０から情報要求信号を受信するまで上記の工程を繰り返す（Ｓ１１０でＮｏ）ことにより、各タップ動作状況（タップの位置及び昇降）に対応した起動電力波形及び定常電力波形が電力波形データベース３２に記録されることとなる。
【００３８】
次に、監視端末５０は、作業員による検査開始の入力を受け付けると、ネットワーク４０を介して測定装置２０へ情報要求信号を送信する。測定装置２０は、情報要求信号を受信すると（Ｓ１１０でＹｅｓ）、電力波形記録・取得部３１により電力波形データベース３２を参照して各タップ動作状況に対応する起動電力波形及び定常電力波形を取得する（Ｓ１１２）。また、基準波形取得部３３により基準波形データベース３４を参照して、各タップ動作状況に対応する正常起動時における起動電力波形及び定常電力波形を取得する（Ｓ１１４）。
【００３９】
そして、測定装置２０は、送受信部３６により取得した各タップ動作状況に対応する起動電力波形、定常電力波形、正常起動時における起動電力波形及び定常電力波形を監視端末５０へ送信する（Ｓ１１６）。
【００４０】
監視端末５０は、測定装置２０から各タップ動作状況に対応する起動電力波形、定常電力波形、正常起動時における起動電力波形及び定常電力波形を受信すると、各タップ動作状況における算出した起動電力波形と、正常起動時における起動電力波形とをディスプレイ等に画面出力し、ディスプレイ上に表示させる（Ｓ１１８）。この際、これらの波形を重ね合わせて表示させるとよい。検査員は、監視端末５０により画面表示された測定された起動電力波形と、正常起動時における起動電力波形のピーク値やそのタイミングを比較する。検査員は、これらの波形に誤差がある場合には、負荷時タップ切換装置１００に異常が発生していると判断する。
【００４１】
また、監視端末５０は、各タップ動作状況における定常電力波形と、正常電力波形とを画面表示する（Ｓ１２０）。検査員は、監視端末５０に画面表示された測定された定常電力波形と、正常起動時における定常電力波形のピーク値やそのタイミングを比較する。そして、これらの波形に誤差がある場合には、負荷時タップ切換装置１００に異常が発生していると判断する。
【００４２】
本実施形態によれば、測定レンジの異なる定常電流入力回路６０及び起動電流入力回路６１を用いることで、定常状態のピーク値が測定可能な低レンジ電流に加えて、起動状態のピーク値が測定可能な高レンジ電流を測定し、これらに基づき算出した電力波形に基づき、異常の有無を判定することができるため、負荷時タップ切換装置１００に生じた異常が起動直後の電力波形に現れるような場合であっても、この異常を検出することができる。
【００４３】
また、従来の負荷時タップ切換装置１００の異常検出方法では、タップ位置及び駆動状況を検出する方法として、タップ位置検出用の接点を負荷時タップ切換装置１００内に設置する必要があったが、本実施形態では、外部の制御装置１１７から送信される制御信号を観測することによりタップ位置及び駆動状況を検出することとしたため、負荷時タップ切換装置１００に接点を取り付ける作業を行う必要がなく、手間を削減できるとともに、コストを削減できる。
【００４４】
なお、本実施形態では、定常電流入力回路６０及び起動電流入力回路６１に各々ＣＴを設けるものとしたが、これに限らず、一台のＣＴにより定常状態の電流と、起動時の電流を測定することもできる。図６は、かかる場合の電流入力の回路図である。同図に示すように、ＣＴからの出力を分岐し、夫々異なる抵抗を付与することにより、低レンジ電流取得部２３に接続された側の回路の貫通電流―出力電圧と、高レンジ電流取得部２４に接続された側の回路のＣＴに流れる貫通電流と出力電圧との関係を夫々設定することができる。これにより、１台のＣＴで起動電流及び定常電流を分解能を落とすことなく、測定することができる。
【符号の説明】
【００４５】
１０  異常検出システム                  ２０  測定装置
２１  アナログインターフェース          ２２  電圧取得部
２３  低レンジ電流取得部                ２４  高レンジ電流取得部
２５  デジタルインターフェース          ２６  信号検出部
３０  電力算出部                        ３１  電力波形記録・取得部
３２  電力波形データベース              ３３  基準波形取得部
３４  基準波形データベース              ３５  タップ位置検出部
３６  送受信部                          ４０  ネットワーク
５０  監視端末                          ６０  定常電流入力回路
６１  起動電流入力回路                  １００  負荷時タップ切換装置
１１０  負荷時タップ切換器              １１１  切換開閉器
１１２  タップ選択器                    １１３  転換器
１１４  電気駆動装置                    １１５  モータ
１１６  駆動軸                          １１７  制御装置
【図１】
2010283226.tif 000003
【図２】
2010283226.tif 000004
【図３】
2010283226.tif 000005
【図４】
2010283226.tif 000006
【図５】
2010283226.tif 000007
【図６】
2010283226.tif 000008
【手続補正書】
【提出日】平成22年4月12日(2010.4.12)
【手続補正１】
【補正対象書類名】特許請求の範囲
【補正対象項目名】全文
【補正方法】変更
【補正の内容】
【特許請求の範囲】
【請求項１】
負荷時タップ切換器と、昇圧又は降圧を指示する制御信号が入力されると前記制御信号に応じてモータが回転し、当該モータの回転を駆動軸を介して伝達することで前記負荷時タップ切換器を駆動する電気駆動装置と、を備えてなる負荷時タップ切換装置の異常検出のための電力出力システムであって、
前記制御信号を監視する制御信号監視手段と、
前記制御信号監視手段が監視した制御信号に基づき、負荷時タップ切換装置におけるタップ位置及び動作状況を検出するタップ位置検出手段と、
前記モータの起動直後の入力電力を測定可能な第１の入力レンジに設定された起動電力取得手段と、
前記モータの起動後の定常状態における入力電力を測定可能な第２の入力レンジに設定された定常電力取得手段と、
前記負荷時タップ切換装置の正常作動時における起動直後の入力電力が、タップ位置及び動作状況に対応付けて記録された基準起動電力記録手段と、
前記負荷時タップ切換装置の正常作動時における起動後の定常状態における入力電力が、タップ位置及び動作状況に対応付けて記録された基準定常電力記録手段と、
起動電力取得手段により測定された起動直後の入力電力と、前記基準起動電力記録手段に、前記タップ位置検出手段により検出されたタップ位置及び動作状況に対応付けて記録された正常起動時における起動直後の入力電力とを比較可能に出力する第１の比較手段と、
定常電力取得手段により測定された起動後の定常状態における入力電力と、前記基準定常電力記録手段に、前記タップ位置検出手段により検出されたタップ位置及び動作状況に対応付けて記録された正常起動時における起動後の入力電力とを比較可能に出力する第２の比較手段と、
を備えることを特徴とする負荷時タップ切換装置の異常検出のための電力出力システム。
【請求項２】
請求項１記載の付加時タップ切換装置の異常検出のための電力出力システムであって、
前記第１の入力レンジは、その最大値が、第１の所定値よりも大きな値に設定され、
前記第２の入力レンジは、その最大値が、前記第１の所定値よりも小さく、かつ、前記第２の所定値以上の値に設定されていることを特徴とする負荷時タップ切換装置の異常検出のための電力出力システム。
【請求項３】
請求項１又は２記載の負荷時タップ切換装置の異常検出のための電力出力システムであって、
前記起動電力取得手段は、
前記モータへの入力電流を測定する第１のＣＴを含んで構成され、前記第１のＣＴにより測定された入力電流を第１のゲインで増幅する起動電流入力回路と、
前記モータに供給される電圧を測定する電圧測定手段と、
前記起動電流入力回路により測定された起動直後の入力電流と、前記電圧測定手段により測定された電圧とに基づき、前記起動直後の入力電力を算出する第１の電力算出手段と、により構成され、
前記定常電力取得手段は、
前記モータへの入力電流を測定する第２のＣＴを含んで構成され、前記第２のＣＴにより測定された入力電流を、前記第１のゲインよりも大きな第２のゲインで増幅する定常電流入力回路と、
前記電圧測定手段と、
前記定常電流入力回路により測定された定常状態における入力電流と、前記電圧測定手段により測定された電圧とに基づき、前記定常状態における入力電力を算出する第２の電力算出手段と、により構成されることを特徴とする負荷時タップ切換装置の異常検出のための電力出力システム。
【請求項４】
請求項３記載の負荷時タップ切換装置の異常検出のための電力出力システムであって、
前記起動電力取得手段の前記第１のＣＴと、前記定常電力取得手段の前記第２のＣＴとは共通のＣＴからなることを特徴とする負荷時タップ切換装置の異常検出のための電力出力システム。
【請求項５】
請求項１から４のうち何れか１項に記載の負荷時タップ切換装置の異常検出のための電力出力システムであって、
前記制御信号は、昇圧又は降圧の何れかを指示する信号であり、
前記タップ位置検出手段は、前記負荷時タップ切替装置のタップ位置を記録する手段と、
該記録されたタップ位置と、前記制御信号が昇圧又は降圧の何れを示しているかとに基づいて、前記制御信号による切替後のタップ位置を特定する手段と、を備えることを特徴とする負荷時タップ切換装置の異常検出のための電力出力システム。
【手続補正３】
【補正対象書類名】明細書
【補正対象項目名】０００９
【補正方法】変更
【補正の内容】
【０００９】
本発明は、負荷時タップ切換器と、昇圧又は降圧を指示する制御信号が入力されると前記制御信号に応じてモータが回転し、当該モータの回転を駆動軸を介して伝達することで前記負荷時タップ切換器を駆動する電気駆動装置と、を備えてなる負荷時タップ切換装置の異常検出のための電力出力システムであって、前記制御信号を監視する制御信号監視手段と、前記制御信号監視手段が監視した制御信号に基づき、負荷時タップ切換装置におけるタップ位置及び動作状況を検出するタップ位置検出手段と、前記モータの起動直後の入力電力を測定可能な第１の入力レンジに設定された起動電力取得手段と、前記モータの起動後の定常状態における入力電力を測定可能な第２の入力レンジに設定された定常電力取得手段と、前記負荷時タップ切換装置の正常作動時における起動直後の入力電力が、タップ位置及び動作状況に対応付けて記録された基準起動電力記録手段と、前記負荷時タップ切換装置の正常作動時における起動後の定常状態における入力電力が、タップ位置及び動作状況に対応付けて記録された基準定常電力記録手段と、起動電力取得手段により測定された起動直後の入力電力と、前記基準起動電力記録手段に、前記タップ位置検出手段により検出されたタップ位置及び動作状況に対応付けて記録された正常起動時における起動直後の入力電力とを比較可能に出力する第１の比較手段と、定常電力取得手段により測定された起動後の定常状態における入力電力と、前記基準定常電力記録手段に、前記タップ位置検出手段により検出されたタップ位置及び動作状況に対応付けて記録された正常起動時における起動後の入力電力とを比較可能に出力する第２の比較手段と、を備えることを特徴とする。
【手続補正４】
【補正対象書類名】明細書
【補正対象項目名】００１０
【補正方法】変更
【補正の内容】
【００１０】
上記の負荷時タップ切換装置の異常検出のための電力出力システムにおいて、前記第１の入力レンジは、その最大値が、第１の所定値よりも大きな値に設定され、前記第２の入力レンジは、その最大値が、前記第１の所定値よりも小さく、かつ、前記第２の所定値以上の値に設定されていてもよい。
【手続補正５】
【補正対象書類名】明細書
【補正対象項目名】００１２
【補正方法】変更
【補正の内容】
【００１２】
また、前記制御信号は、昇圧又は降圧の何れかを指示する信号であり、前記タップ位置検出手段は、前記負荷時タップ切替装置のタップ位置を記録する手段と、該記録されたタップ位置と、前記制御信号が昇圧又は降圧の何れを示しているかとに基づいて、前記制御信号による切替後のタップ位置を特定する手段と、を備えることとしてもよい。
【手続補正書】
【提出日】平成22年9月17日(2010.9.17)
【手続補正１】
【補正対象書類名】特許請求の範囲
【補正対象項目名】全文
【補正方法】変更
【補正の内容】
【特許請求の範囲】
【請求項１】
負荷時タップ切換器と、昇圧又は降圧を指示する制御信号が入力されると前記制御信号に応じてモータが回転し、当該モータの回転を駆動軸を介して伝達することで前記負荷時タップ切換器を駆動する電気駆動装置と、を備えてなる負荷時タップ切換装置の電力波形表示システムであって、
前記制御信号を監視する制御信号監視手段と、
前記制御信号監視手段が監視した制御信号に基づき、負荷時タップ切換装置におけるタップ位置及び昇圧か降圧かを示す動作状況を検出するタップ位置検出手段と、
前記モータの起動直後の入力電力を測定可能な第１の入力レンジに設定された起動電力取得手段と、
前記モータの起動後の定常状態における入力電力を測定可能な、前記第１の入力レンジよりも大きい第２の入力レンジに設定された定常電力取得手段と、
前記負荷時タップ切換装置の正常作動時における起動直後の入力電力波形が、タップ位置及び前記動作状況に対応付けて記録された基準起動電力記録手段と、
前記負荷時タップ切換装置の正常作動時における起動後の定常状態における入力電力波形が、タップ位置及び前記動作状況に対応付けて記録された基準定常電力記録手段と、
起動電力取得手段により測定された起動直後の入力電力波形と、前記基準起動電力記録手段に、前記タップ位置検出手段により検出されたタップ位置及び前記動作状況に対応付けて記録された正常起動時における起動直後の入力電力波形とを比較可能に表示する第１の表示手段と、
定常電力取得手段により測定された起動後の定常状態における入力電力波形と、前記基準定常電力記録手段に、前記タップ位置検出手段により検出されたタップ位置及び前記動作状況に対応付けて記録された正常起動時における起動後の入力電力波形とを比較可能に表示する第２の表示手段と、
を備え、
前記制御信号は、昇圧又は降圧の何れかを指示する信号であり、
前記タップ位置検出手段は、
前記負荷時タップ切替装置のタップ位置を記録する手段と、
該記録されたタップ位置と、前記制御信号が昇圧又は降圧の何れを示しているかとに基づいて、前記制御信号による切替後のタップ位置を特定する手段と、
を備えることを特徴とする負荷時タップ切換装置の異常検出のための電力波形表示システム。
【請求項２】
請求項１記載の付加時タップ切換装置の異常検出のための電力出力システムであって、
前記第１の入力レンジは、その最大値が、第１の所定値よりも大きな値に設定され、
前記第２の入力レンジは、その最大値が、前記第１の所定値よりも小さく、かつ、前記第２の所定値以上の値に設定されていることを特徴とする負荷時タップ切換装置の異常検出のための電力波形表示システム。
【請求項３】
請求項１又は２記載の負荷時タップ切換装置の異常検出のための電力波形表示システムであって、
前記起動電力取得手段は、
前記モータへの入力電流を測定する第１のＣＴを含んで構成され、前記第１のＣＴにより測定された入力電流を第１のゲインで増幅する起動電流入力回路と、
前記モータに供給される電圧を測定する電圧測定手段と、
前記起動電流入力回路により測定された起動直後の入力電流と、前記電圧測定手段により測定された電圧とに基づき、前記起動直後の入力電力を算出する第１の電力算出手段と、により構成され、
前記定常電力取得手段は、
前記モータへの入力電流を測定する第２のＣＴを含んで構成され、前記第２のＣＴにより測定された入力電流を、前記第１のゲインよりも大きな第２のゲインで増幅する定常電流入力回路と、
前記電圧測定手段と、
前記定常電流入力回路により測定された定常状態における入力電流と、前記電圧測定手段により測定された電圧とに基づき、前記定常状態における入力電力を算出する第２の電力算出手段と、により構成されることを特徴とする負荷時タップ切換装置の異常検出のための電力波形表示システム。
【請求項４】
請求項３記載の負荷時タップ切換装置の異常検出のための電力波形表示システムであって、
前記起動電力取得手段の前記第１のＣＴと、前記定常電力取得手段の前記第２のＣＴとは共通のＣＴからなることを特徴とする負荷時タップ切換装置の異常検出のための電力波形表示システム。
【手続補正２】
【補正対象書類名】明細書
【補正対象項目名】全文
【補正方法】変更
【補正の内容】
【発明の詳細な説明】
【技術分野】
【０００１】
本発明は、負荷時タップ切換装置の異常を検出するための電力波形表示システムに関する。
【背景技術】
【０００２】
従来より、切換開閉器とタップ選択器と転換器とからなる負荷時タップ切換器と、負荷時タップ切換器を駆動する電気駆動装置と、を備えてなる負荷時タップ切換装置が用いられている。かかる負荷時タップ切換装置の異常を検出する方法として、例えば、特許文献１には、モータの入力電力を利用する方法が開示されている。
【０００３】
特許文献１記載の方法では、負荷時タップ切換装置に異常が生じると軸トルクに変化が生じること、及び軸トルクと駆動軸を起動するモータの入力電力との間に線形関係があることを利用しており、入力電力を測定し、この入力電力を正常駆動時の入力電力と比較して異常の有無を検出している。
【０００４】
ところで、電気駆動装置の起動時には、電気駆動装置のモータには起動時に大きな軸トルクが作用し、これに伴い消費電力が大きくなり、その後、軸トルクの大きさが定常的になるため、消費電力も略一定の大きさとなる。
【先行技術文献】
【特許文献】
【０００５】
【特許文献１】特開平９―８２５３７号公報
【発明の概要】
【発明が解決しようとする課題】
【０００６】
ここで、例えば、樋口  安幸、“状態監視保全による負荷時タップ切換装置点検方法の改善”、電気現場技術、株式会社電気情報社、２００２年７月、２００２年７月号、ｐ２９−３４に記載されているように、電気駆動装置の起動直後に過大なトルクが作用する異常が発生することがある。
【０００７】
これに対して、上記の従来の方法では、定常状態における電力波形を測定することにより、異常の有無を検出しているため、電力を測定する手段として、定常時におけるピーク値の差を識別可能な測定レンジの測定装置を用いなければならない。しかしながら、このような測定レンジの測定装置を用いた場合には、起動直後に過大な軸トルクが作用するような異常が発生した場合には、測定される電力が測定レンジ外となってしまい、この異常を検出することができないという問題がある。
【０００８】
本発明は、上記の問題に鑑みなされたものであり、その目的は、負荷時タップ切換装置の異常の有無を電気駆動装置の電力を検査員が観測することで判定する際に、起動直後に過大なトルクが発生するような異常も検出できるようにすることである。
【課題を解決するための手段】
【０００９】
本発明は、  負荷時タップ切換器と、昇圧又は降圧を指示する制御信号が入力されると前記制御信号に応じてモータが回転し、当該モータの回転を駆動軸を介して伝達することで前記負荷時タップ切換器を駆動する電気駆動装置と、を備えてなる負荷時タップ切換装置の電力波形表示システムであって、
前記制御信号を監視する制御信号監視手段と、
前記制御信号監視手段が監視した制御信号に基づき、負荷時タップ切換装置におけるタップ位置及び昇圧か降圧かを示す動作状況を検出するタップ位置検出手段と、
前記モータの起動直後の入力電力を測定可能な第１の入力レンジに設定された起動電力取得手段と、
前記モータの起動後の定常状態における入力電力を測定可能な、前記第１の入力レンジよりも大きい第２の入力レンジに設定された定常電力取得手段と、
前記負荷時タップ切換装置の正常作動時における起動直後の入力電力波形が、タップ位置及び前記動作状況に対応付けて記録された基準起動電力記録手段と、
前記負荷時タップ切換装置の正常作動時における起動後の定常状態における入力電力波形が、タップ位置及び前記動作状況に対応付けて記録された基準定常電力記録手段と、
起動電力取得手段により測定された起動直後の入力電力波形と、前記基準起動電力記録手段に、前記タップ位置検出手段により検出されたタップ位置及び前記動作状況に対応付けて記録された正常起動時における起動直後の入力電力波形とを比較可能に表示する第１の表示手段と、
定常電力取得手段により測定された起動後の定常状態における入力電力波形と、前記基準定常電力記録手段に、前記タップ位置検出手段により検出されたタップ位置及び前記動作状況に対応付けて記録された正常起動時における起動後の入力電力波形とを比較可能に表示する第２の表示手段と、
を備え、
前記制御信号は、昇圧又は降圧の何れかを指示する信号であり、
前記タップ位置検出手段は、
前記負荷時タップ切替装置のタップ位置を記録する手段と、
該記録されたタップ位置と、前記制御信号が昇圧又は降圧の何れを示しているかとに基づいて、前記制御信号による切替後のタップ位置を特定する手段と、
を備えることを特徴とする。
【００１０】
上記の異常検出のための電力波形表示システムにおいて、前記第１の入力レンジは、その最大値が、第１の所定値よりも大きな値に設定され、前記第２の入力レンジは、その最大値が、前記第１の所定値よりも小さく、かつ、前記第２の所定値以上の値に設定されていてもよい。
【００１１】
また、前記起動電力取得手段は、前記モータへの入力電流を測定する第１のＣＴを含んで構成され、前記第１のＣＴにより測定された入力電流を第１のゲインで増幅する起動電流入力回路と、前記モータに供給される電圧を測定する電圧測定手段と、前記起動電流入力回路により測定された起動直後の入力電流と、前記電圧測定手段により測定された電圧とに基づき、前記起動直後の入力電力を算出する第１の電力算出手段と、により構成され、前記定常電力取得手段は、前記モータへの入力電流を測定する第２のＣＴを含んで構成され、前記第２のＣＴにより測定された入力電流を、前記第１のゲインよりも大きな第２のゲインで増幅する定常電流入力回路と、前記電圧測定手段と、前記定常電流入力回路により測定された定常状態における入力電流と、前記電圧測定手段により測定された電圧とに基づき、前記定常状態における入力電力を算出する第２の電力算出手段と、により構成されてもよい。
さらに、前記起動電力取得手段の前記第１のＣＴと、前記定常電力取得手段の前記第２のＣＴとは共通のＣＴからなるものであってもよい。
【発明の効果】
【００１２】
本発明によれば、モータの起動後の定常状態における入力電力を測定可能な入力レンジに設定された定常電力取得手段とは別個に、モータの起動直後の入力電力を測定可能な入力レンジに設定された起動電力取得手段を設けることにより、起動直後に過大なトルクが発生するような異常も検出できるような波形表示を行うことができる。
【図面の簡単な説明】
【００１３】
【図１】負荷時タップ切換装置の構成を示す図である。
【図２】（Ａ）は、電気駆動装置のタップ切換時におけるモータに入力される電力の一例を示すグラフであり、（Ｂ）は、縦軸のレンジを（Ａ）に比べて小さくした場合のグラフである。
【図３】本実施形態の異常検出のための電力波形表示システムの構成を示す図である。
【図４】定常電流入力回路及び起動電流入力回路の構成を示す回路図である。
【図５】異常検出システムにより負荷時タップ切換装置の異常を検出する方法を説明するためのフローチャートである。
【図６】一台のＣＴにより定常状態の電流と、起動時の電流を測定する場合の回路図である。
【発明を実施するための形態】
【００１４】
以下、本実施形態の負荷時タップ切換装置の異常検出のための電力波形表示システムの一実施形態を図面を参照しながら詳細に説明する。
図１は、負荷時タップ切換装置１００の構成を示す図である。同図に示すように、負荷時タップ切換装置１００は、切換開閉器１１１と、タップ選択器１１２と、転換器１１３とからなる負荷時タップ切換器１１０と、負荷時タップ切換器１１０を駆動する電気駆動装置１１４と、電気駆動装置１１４を制御する制御装置１１７とを備えてなる。
【００１５】
制御装置１１７は、変圧器の電圧自動制御装置や制御室に設置された電圧制御端末などであり、電気駆動装置１１４へ信号線１２０を介してタップ位置の上昇又は下降（すなわち、昇圧又は降圧）を指示する制御信号を送信する。
電気駆動装置１１４は、制御装置１１７から制御信号を受信すると、その信号に応じて、現在のタップ位置から昇圧側又は降圧側のタップ位置へ切り換えられるように、モータ１１５を駆動して駆動軸１１６を回転させる。
【００１６】
駆動軸１１６の回転は負荷時タップ切換器１１０へ伝達される。負荷時タップ切換器１１０は、駆動軸１１６の回転により、切換開閉器１１１、タップ選択器１１２、及び転換器１１３が適宜駆動させられ、タップ位置が切り換えられる。
【００１７】
図２（Ａ）は、電気駆動装置１１４のタップ切換時におけるモータ１１５に入力される電力の時間変化の一例を示すグラフであり、（Ｂ）は、（Ａ）を拡大して示したグラフである。従来技術の欄に記載したように、電気駆動装置１１４におけるタップ切換時のモータ１１５における電力負荷は、図２に示すように、起動時において非常に高いピークが出て、その後定常状態となる。本実施形態では、これら起動時における電力波形及び定常状態における電力波形に基づき、負荷時タップ切換装置１００の異常を検出するべく、異常検出のための電力波形表示システムを以下に説明する構成とした。
【００１８】
図３は、本実施形態の異常検出のための電力波形表示システム１０の構成を示す図である。同図に示すように、本実施形態の電力波形表示システム１０は、ネットワーク４０を介して送受信可能に接続された測定装置２０と、監視端末５０とにより構成される。
【００１９】
測定装置２０は、アナログインターフェース２１と、デジタルインターフェース２５と、電圧取得部２２と、低レンジ電流取得部２３と、高レンジ電流取得部２４と、信号検出部２６と、電力算出部３０と、電力波計記録・取得部３１と、電力波形データベース３２と、基準波形取得部３３と、基準波形データベース３４と、タップ位置検出部３５と、送受信部３６と、メモリ３７とを備える。
【００２０】
測定装置２０のデジタルインターフェース２５には、制御装置１１７から電気駆動装置１１４へ制御信号が送信される導線１２０から分岐した分岐線１１９が接続されている。
【００２１】
信号検出部２６は、デジタルインターフェース２５を介して、制御装置１１７から電気駆動装置１１４へ送信される制御信号を検出する。
【００２２】
タップ位置検出部３５は、予め、負荷時タップ切換装置１００のタップ位置が記録されており、信号検出部２６が制御信号を検出することにより、負荷時タップ切換装置１００の切換動作（昇圧か降圧か）を監視するとともに、動作後のタップ位置を求める。
【００２３】
測定装置２０のアナログインターフェース２１には、負荷時タップ切換装置１００の電気駆動装置のモータ１１５に電力を供給する電源線１１８を流れる電流を測定する定常電流入力回路６０と、起動電流入力回路６１と、電源線１１８から分岐した分岐線１２１が接続されている。
【００２４】
図４は、定常電流入力回路６０及び起動電流入力回路６１の構成を示す回路図である。定常電流入力回路６０及び起動電流入力回路６１は、夫々、ＣＴ７０、７１に複数の抵抗及びアンプが接続されて構成されており、これら複数の抵抗の抵抗値を調整することで、ＣＴ７０、７１を流れる貫通電流と出力電圧との関係を調整し、ＣＴ７０、７１による電流の最大測定レンジを調整することができる。本実施形態では、定常電流入力回路６０は、最大測定レンジが電気駆動装置１１４のモータ１１５を起動させる際の電流を観測可能なレンジ（すなわち、最大値が正常状態の起動時のピーク値よりも大きなレンジ、以下、起動レンジという）に設定されており、起動電流入力回路６１は、最大測定レンジが定常状態における電流を観測可能なレンジ（すなわち、最大値が起動レンジの最大値よりも小さく、かつ、正常状態の定常時の最大値よりも大きなレンジ、以下、定常レンジという）に設定されている。なお、起動レンジは定常レンジの約１０分の１のレンジ（すなわち、約１０倍のゲイン）に設定されている。
【００２５】
電圧取得部２２は、アナログインターフェース２１を介して、モータ１１５に供給される電圧を測定し、測定した電圧信号を出力する。
低レンジ電流取得部２３は、アナログインターフェース２１を介して、定常電流入力回路６０により、モータ１１５に供給される電流を測定し、測定した電流値を出力する。以下、低レンジ電流取得部２３から出力された電流値を低レンジ電流という。
高レンジ電流取得部２４は、アナログインターフェース２１を介して、起動電流入力回路６１により、モータ１１５に供給される電流を測定し、測定した電流値を出力する。以下、高レンジ電流取得部２４から出力された電流値を高レンジ電流という。
【００２６】
電力算出部３０は、電圧取得部２２及び低レンジ電流取得部２３から出力された電圧及び低レンジ電流に基づき電力を求め、この電力の時系列データを定常電力波形として出力する。また、これと同様に、電力算出部３０は、電圧取得部２２及び高レンジ電流取得部２４から出力された電圧及び電流に基づき電力を求め、この電力の時系列データを起動電力波形として出力する。
【００２７】
電力波形記録・取得部３１は、電力算出部３０が算出した起動電力波形及び定常電力波形をタップ位置検出部３５が求めたタップ位置及び動作状況（昇圧か降圧か）に関するタップ動作情報と対応付けて電力波形データベース３２に記録する。また、電力波形記録・取得部３１は、要求に応じて電力波形データベース３２に記録された起動電力波形及び定常電力波形とタップ動作情報とを取得する。
【００２８】
基準波形データベース３４には、タップ動作情報に対応付けられて、電気駆動装置１１４が正常に動作した場合の起動電力波形及び定常電力波形が記録されている。
基準波形取得部３３は、基準波形データベース３４を参照して、要求に応じて各タップ動作情報に対応する正常起動時の起動電力波形及び定常電力波形を取得する。
【００２９】
なお、これら構成部は、例えば、マイクロコントローラがメモリに記録されたプログラムを実行することで実現され、データベース３２、３４はハードディスクなどの記憶媒体上に構築される。
【００３０】
以下、電力波形表示システム１０により負荷時タップ切換装置１００の異常を検出するべく電力波形を表示する方法を図５に示すフローチャートを参照しながら説明する。なお、図５において、監視端末５０による処理は破線により示している。
まず、測定装置２０は、常時、電圧取得部２２により、電気駆動装置１１４のモータ１１５における電圧を監視するとともに、低レンジ電流取得部２３及び高レンジ電流取得部２４により、モータ１１５に供給される電流を監視する。また、測定装置２０は、常時、信号検出部２６により、制御装置１１７から信号線１２０を通じて電気駆動装置１１４へ入力される制御信号の有無を監視している。
【００３１】
制御装置１１７から電気駆動装置１１４へ制御信号が送信されると、測定装置２０は、信号検出部２６によりこの制御信号を検出する（Ｓ１００）。信号検出部２６は制御信号を検出すると、降圧又は昇圧する旨の信号をタップ位置検出部３５へと送信する。
【００３２】
タップ位置検出部３５は、信号検出部２６から受信した信号に基づき、動作状況（昇圧か降圧か）を取得し、さらに、切換後のタップ位置を特定する（Ｓ１０２）。
【００３３】
次に、電気駆動装置１１４は制御信号を受信すると、受信した制御信号に応じたスイッチ１１８Ａを閉じて、モータ１１５を駆動する。スイッチ１１８Ａが閉じられると導線１１８を電流が流れ、測定装置２０は低レンジ電流取得部２３及び高レンジ電流取得部２４により低レンジ電流及び高レンジ電流を測定し、電圧取得部２２によりモータにおける電圧を測定する（Ｓ１０４）。これら測定された低レンジ電流、高レンジ電流及び電圧は測定した時間対応付けられてメモリ３７に一次的に記録される。
【００３４】
次に、電力算出部３０により、メモリ３７に記録された低レンジ電流と電圧とに基づいて、定常電力波形を算出し、また、高レンジ電流と電圧とに基づいて起動電力波形を算出する（Ｓ１０６）。
【００３５】
次に、電力波形記録・取得部３１により、電力算出部３０により算出された起動電力波形及び定常電力波形を、タップ位置検出部３５により検出されたタップの動作状況と対応付けて電力波形データベース３２に記録する（Ｓ１０８）。
【００３６】
測定装置２０は、後述するように監視端末５０から情報要求信号を受信するまで上記の工程を繰り返す（Ｓ１１０でＮｏ）ことにより、各タップ動作状況（タップの位置及び昇降）に対応した起動電力波形及び定常電力波形が電力波形データベース３２に記録されることとなる。
【００３７】
次に、監視端末５０は、作業員による検査開始の入力を受け付けると、ネットワーク４０を介して測定装置２０へ情報要求信号を送信する。測定装置２０は、情報要求信号を受信すると（Ｓ１１０でＹｅｓ）、電力波形記録・取得部３１により電力波形データベース３２を参照して各タップ動作状況に対応する起動電力波形及び定常電力波形を取得する（Ｓ１１２）。また、基準波形取得部３３により基準波形データベース３４を参照して、各タップ動作状況に対応する正常起動時における起動電力波形及び定常電力波形を取得する（Ｓ１１４）。
【００３８】
そして、測定装置２０は、送受信部３６により取得した各タップ動作状況に対応する起動電力波形、定常電力波形、正常起動時における起動電力波形及び定常電力波形を監視端末５０へ送信する（Ｓ１１６）。
【００３９】
監視端末５０は、測定装置２０から各タップ動作状況に対応する起動電力波形、定常電力波形、正常起動時における起動電力波形及び定常電力波形を受信すると、各タップ動作状況における算出した起動電力波形と、正常起動時における起動電力波形とをディスプレイ等に画面出力し、ディスプレイ上に表示させる（Ｓ１１８）。この際、これらの波形を重ね合わせて表示させるとよい。検査員は、監視端末５０により画面表示された測定された起動電力波形と、正常起動時における起動電力波形のピーク値やそのタイミングを比較する。検査員は、これらの波形に誤差がある場合には、負荷時タップ切換装置１００に異常が発生していると判断する。
【００４０】
また、監視端末５０は、各タップ動作状況における定常電力波形と、正常電力波形とを画面表示する（Ｓ１２０）。検査員は、監視端末５０に画面表示された測定された定常電力波形と、正常起動時における定常電力波形のピーク値やそのタイミングを比較する。そして、これらの波形に誤差がある場合には、負荷時タップ切換装置１００に異常が発生していると判断する。
【００４１】
本実施形態によれば、測定レンジの異なる定常電流入力回路６０及び起動電流入力回路６１を用いることで、定常状態のピーク値が測定可能な低レンジ電流に加えて、起動状態のピーク値が測定可能な高レンジ電流を測定し、検査員は、これらに基づき算出した電力波形に基づき、異常の有無を判定することができるため、負荷時タップ切換装置１００に生じた異常が起動直後の電力波形に現れるような場合であっても、この異常を検出することができる。
【００４２】
また、従来の負荷時タップ切換装置１００の異常検出方法では、タップ位置及び駆動状況を検出する方法として、タップ位置検出用の接点を負荷時タップ切換装置１００内に設置する必要があったが、本実施形態では、外部の制御装置１１７から送信される制御信号を観測することによりタップ位置及び駆動状況を検出することとしたため、負荷時タップ切換装置１００に接点を取り付ける作業を行う必要がなく、手間を削減できるとともに、コストを削減できる。
【００４３】
なお、本実施形態では、定常電流入力回路６０及び起動電流入力回路６１に各々ＣＴを設けるものとしたが、これに限らず、一台のＣＴにより定常状態の電流と、起動時の電流を測定することもできる。図６は、かかる場合の電流入力の回路図である。同図に示すように、ＣＴからの出力を分岐し、夫々異なる抵抗を付与することにより、低レンジ電流取得部２３に接続された側の回路の貫通電流―出力電圧と、高レンジ電流取得部２４に接続された側の回路のＣＴに流れる貫通電流と出力電圧との関係を夫々設定することができる。これにより、１台のＣＴで起動電流及び定常電流を分解能を落とすことなく、測定することができる。
【符号の説明】
【００４４】
１０  電力波形表示システム              ２０  測定装置
２１  アナログインターフェース          ２２  電圧取得部
２３  低レンジ電流取得部                ２４  高レンジ電流取得部
２５  デジタルインターフェース          ２６  信号検出部
３０  電力算出部                        ３１  電力波形記録・取得部
３２  電力波形データベース              ３３  基準波形取得部
３４  基準波形データベース              ３５  タップ位置検出部
３６  送受信部                          ４０  ネットワーク
５０  監視端末                          ６０  定常電流入力回路
６１  起動電流入力回路                  １００  負荷時タップ切換装置
１１０  負荷時タップ切換器              １１１  切換開閉器
１１２  タップ選択器                    １１３  転換器
１１４  電気駆動装置                    １１５  モータ
１１６  駆動軸                          １１７  制御装置